【手続補正書】
【提出日】平成19年1月11日(2007.1.11)
【手続補正１】
【補正対象書類名】特許請求の範囲
【補正対象項目名】全文
【補正方法】変更
【補正の内容】
【特許請求の範囲】
【請求項１】
Ｙ型ゼオライトからなり、ピーク孔径がＡＳＴＭ試験第Ｄ４２８４−０３による測定値として約２０００オングストローム未満であり、そして約５００オングストローム以下の孔径の細孔の累積孔容積が、ＡＳＴＭ試験第Ｄ４２８４−０３による測定値としてグラム当り約０．３０ミリリットル以下である大細孔構造を持つ触媒。
【請求項２】
約４００オングストローム以下の孔径の細孔の累積孔容積が、グラム当り約０．３０ミリリットル未満である請求項１に記載の触媒。
【請求項３】
約３００オングストローム以下の孔径の細孔の累積孔容積が、グラム当り約０．２５ミリリットル未満である請求項２に記載の触媒。
【請求項４】
約３００オングストローム以下の孔径の細孔の累積孔容積が、グラム当り約０．２０ミリリットル未満である請求項３に記載の触媒。
【請求項５】
約４００オングストローム以下の孔径の細孔の累積孔容積が、グラム当り約０．０５ミリリットル乃至約０．１８ミリリットルの範囲にある請求項４に記載の触媒。
【請求項６】
約３００オングストローム以下の孔径の細孔の累積孔容積が、グラム当り約０．０８ミリリットル乃至約０．１６ミリリットルの範囲にある請求項５に記載の触媒。
【請求項７】
ピーク孔径が、約７００オングストローム乃至約１８００オングストロームの範囲にある請求項１に記載の触媒。
【請求項８】
ピーク孔径が、約７５０オングストローム乃至約１６００オングストロームの範囲にある請求項７に記載の触媒。
【請求項９】
触媒のピーク孔径が、約９００オングストローム乃至約１４００オングストロームの範囲にある請求項８に記載の触媒。
【請求項１０】
Ｙ型ゼオライトのシリカとアルミナとの比が、約５：１乃至約１００：１の範囲にある請求項１に記載の触媒。
【請求項１１】
Ｙ型ゼオライトのシリカとアルミナとの比が、約３０：１乃至約８０：１の範囲にある請求項１０に記載の触媒。
【請求項１２】
Ｙ型ゼオライトのシリカとアルミナとの比が、約５０：１乃至約７０：１の範囲にある請求項１１に記載の触媒。
【請求項１３】
触媒がタブレットの形状にある請求項１に記載の触媒。
【請求項１４】
ピーク孔径が約５００オングストローム乃至約１５００オングストロームの範囲にあり、そして約５００オングストローム以下の孔径の細孔の累積孔容積が、グラム当り約０．０５ミリリットル乃至約０．１５ミリリットルの範囲にある請求項１３に記載の触媒。
【請求項１５】
下記の成分からなる触媒複合体：
（ａ）請求項１に記載の触媒、および（ｂ）結合剤。
【請求項１６】
結合剤が無機物質である請求項１５に記載の触媒複合体。
【請求項１７】
結合剤がアルミナである請求項１６に記載の触媒複合体。
【請求項１８】
Ｙ型ゼオライトが、触媒複合体の全乾量に基づき約４０重量％乃至約９９重量％の範囲の量で存在する請求項１５に記載の触媒複合体。
【請求項１９】
Ｙ型ゼオライトが、触媒複合体の全乾量に基づき約５０重量％乃至約８５重量％の範囲の量で存在する請求項１８に記載の触媒複合体。
【請求項２０】
下記の工程からなる触媒複合体の製造方法：
（ａ）Ｙ型ゼオライトを揮発物の存在下で結合剤と接触させて、得られる触媒複合体の全乾量に基づいてＹ型ゼオライトの重量％が約４０乃至約９９％の範囲にあり、そして混合物の揮発分が混合物の約３０重量％乃至約７０重量％の範囲にある混合物を形成する工程、
（ｂ）混合物を成形して複合体を形成する工程、
（ｃ）複合体を乾燥する工程、そして
（ｄ）複合体を実質的に乾燥した環境下で焼成する工程。
【請求項２１】
（ｂ）工程において成形が押出し成形である請求項２０に記載の方法。
【請求項２２】
（ａ）工程においてＹ型ゼオライトの重量％が、約５０乃至約８５の範囲にある請求項２０に記載の方法。
【請求項２３】
（ａ）工程において結合剤が無機物質である請求項２０に記載の方法。
【請求項２４】
結合剤がアルミナである請求項２３に記載の方法。
【請求項２５】
（ａ）工程において混合物の揮発分が混合物の約４０重量％乃至約６０重量％の範囲にある請求項２０に記載の方法。
【請求項２６】
揮発分が水と酸とからなる請求項２５に記載の方法。
【請求項２７】
請求項２０に記載の方法により製造された触媒複合体。
【請求項２８】
Ｙ型ゼオライトからなり、ピーク孔径がＡＳＴＭ試験第Ｄ４２８４−０３による測定値として約２０００オングストローム未満であり、そして約５００オングストローム以下の孔径の細孔の累積孔容積が、ＡＳＴＭ試験第Ｄ４２８４−０３による測定値としてグラム当り約０．３０ミリリットル以下である大細孔構造を持つ触媒の存在下に、少なくとも一種の芳香族炭化水素を、アルキル化条件下で少なくとも一種のオレフィンと接触させることからなるアルキル化芳香族組成物の製造方法。
【請求項２９】
さらに、アルキル化芳香族組成物をスルホン化してアルキル化芳香族スルホン酸を生成させることを含む請求項２８に記載の方法。
【請求項３０】
さらに、アルキル化芳香族スルホン酸をアルカリ土類金属および二酸化炭素と反応させて、炭酸塩化した過塩基性アルキル化芳香族スルホネートを生成させることを含む請求項２９に記載の方法。
【請求項３１】
少なくとも一種の芳香族炭化水素を、請求項２０に記載の触媒複合体の存在下に、アルキル化条件下で少なくとも一種のオレフィンと接触させることからなるアルキル化芳香族組成物の製造方法。
【請求項３２】
芳香族炭化水素がベンゼンまたはトルエンである請求項３１に記載の方法。
【請求項３３】
オレフィンが、アルファオレフィン、異性化オレフィン、分枝鎖オレフィンまたはそれらの混合物である請求項３１に記載の方法。
【請求項３４】
オレフィンが炭素原子約４個乃至約８０個を有する請求項３３に記載の方法。
【請求項３５】
アルファオレフィンまたは異性化オレフィンが炭素原子約６個乃至約４０個を有する請求項３３に記載の方法。
【請求項３６】
アルファオレフィンまたは異性化オレフィンが炭素原子約２０個乃至約４０個を有する請求項３５に記載の方法。
【請求項３７】
分枝鎖オレフィンが炭素原子約６個乃至約７０個を有する請求項３３に記載の方法。
【請求項３８】
分枝鎖オレフィンが炭素原子約８個乃至約５０個を有する請求項３７に記載の方法。
【請求項３９】
分枝鎖オレフィンが炭素原子約１２個乃至約１８個を有する請求項３８に記載の方法。
【請求項４０】
オレフィンが、炭素原子約６個乃至約４０個を持つ部分分枝鎖異性化オレフィンである請求項３３に記載の方法。
【請求項４１】
部分分枝鎖異性化オレフィンが炭素原子約２０個乃至約４０個を有する請求項４０に記載の方法。
【請求項４２】
さらに、アルキル化芳香族組成物をスルホン化してアルキル化芳香族スルホン酸を生成させることを含む請求項３１に記載の方法。
【請求項４３】
さらに、アルキル化芳香族スルホン酸をアルカリ土類金属および二酸化炭素と反応させて、炭酸塩化した過塩基性アルキル化芳香族スルホネートを生成させることを含む請求項４２に記載の方法。
【請求項４４】
Ｙ型ゼオライトからなり、ピーク孔径がＡＳＴＭ試験第Ｄ４２８４−０３による測定値として約２０００オングストローム未満であり、そして約５００オングストローム以下の孔径の細孔の累積孔容積が、ＡＳＴＭ試験第Ｄ４２８４−０３による測定値としてグラム当り約０．３０ミリリットル以下である大細孔構造を持つ触媒の存在下に、少なくとも一種の芳香族炭化水素を、アルキル化条件下で少なくとも一種のオレフィンと接触させることからなる方法によって製造されたアルキル化芳香族組成物。
【請求項４５】
アルキル化芳香族組成物の芳香族炭化水素部がベンゼンまたはトルエンである請求項４４に記載のアルキル化芳香族組成物。
【請求項４６】
アルキル化芳香族組成物の芳香族炭化水素部がトルエンである請求項４５に記載のアルキル化芳香族組成物。
【請求項４７】
アルキル化芳香族組成物の製造に用いるオレフィンが、アルファオレフィン、異性化オレフィン、分枝鎖オレフィンまたはそれらの混合物である請求項４４に記載のアルキル化芳香族組成物。
【請求項４８】
オレフィンが炭素原子約４個乃至約８０個を有する請求項４７に記載のアルキル化芳香族組成物。
【請求項４９】
アルファオレフィンまたは異性化オレフィンが炭素原子約６個乃至約４０個を有する請求項４８に記載のアルキル化芳香族組成物。
【請求項５０】
アルファオレフィンまたは異性化オレフィンが炭素原子約２０個乃至約４０個を有する請求項４９に記載のアルキル化芳香族組成物。
【請求項５１】
分枝鎖オレフィンが炭素原子約６個乃至約７０個を有する請求項４７に記載のアルキル化芳香族組成物。
【請求項５２】
分枝鎖オレフィンが炭素原子約８個乃至約５０個を有する請求項５１に記載のアルキル化芳香族組成物。
【請求項５３】
分枝鎖オレフィンが炭素原子約１２個乃至約１８個を有する請求項５２に記載のアルキル化芳香族組成物。
【請求項５４】
オレフィンが、炭素原子約６個乃至約４０個を持つ部分分枝鎖異性化オレフィンである請求項４７に記載のアルキル化芳香族組成物。
【請求項５５】
部分分枝鎖異性化オレフィンが炭素原子約２０個乃至約４０個を有する請求項５４に記載のアルキル化芳香族組成物。
【請求項５６】
アルキル化芳香族組成物がスルホン化してアルキル化芳香族スルホン酸を生成している請求項４４に記載のアルキル化芳香族組成物。
【請求項５７】
アルキル化芳香族スルホン酸がアルカリ土類金属および二酸化炭素と反応して炭酸塩化した過塩基性アルキル化芳香族スルホネートを生成している請求項５６に記載のアルキル化芳香族組成物。
【請求項５８】
（ａ）Ｙ型ゼオライト触媒および（ｂ）結合剤からなり、触媒のピーク孔径がＡＳＴＭ試験第Ｄ４２８４−０３による測定値として約２０００オングストローム未満であり、そして触媒の約５００オングストローム以下の孔径の細孔の累積孔容積が、ＡＳＴＭ試験第Ｄ４２８４−０３による測定値としてグラム当り約０．３０ミリリットル以下である触媒複合体の存在下に、少なくとも一種の芳香族炭化水素を、アルキル化条件下で少なくとも一種のオレフィンと接触させることからなる方法によって製造されたアルキル化芳香族組成物。
【請求項５９】
アルキル化芳香族組成物の芳香族炭化水素部がベンゼンまたはトルエンである請求項５８に記載のアルキル化芳香族組成物。
【請求項６０】
アルキル化芳香族組成物の芳香族炭化水素部がトルエンである請求項５９に記載のアルキル化芳香族組成物。
【請求項６１】
アルキル化芳香族組成物の製造に用いるオレフィンが、アルファオレフィン、異性化オレフィン、分枝鎖オレフィンまたはそれらの混合物である請求項５８に記載のアルキル化芳香族組成物。
【請求項６２】
オレフィンが炭素原子約４個乃至約８０個を有する請求項６１に記載のアルキル化芳香族組成物。
【請求項６３】
アルファオレフィンまたは異性化オレフィンが炭素原子約６個乃至約４０個を有する請求項６２に記載のアルキル化芳香族組成物。
【請求項６４】
アルファオレフィンまたは異性化オレフィンが炭素原子約２０個乃至約４０個を有する請求項６３に記載のアルキル化芳香族組成物。
【請求項６５】
分枝鎖オレフィンが炭素原子約６個乃至約７０個を有する請求項６１に記載のアルキル化芳香族組成物。
【請求項６６】
分枝鎖オレフィンが炭素原子約８個乃至約５０個を有する請求項６５に記載のアルキル化芳香族組成物。
【請求項６７】
分枝鎖オレフィンが炭素原子約１２個乃至約１８個を有する請求項６６に記載のアルキル化芳香族組成物。
【請求項６８】
オレフィンが、炭素原子約６個乃至約４０個を持つ部分分枝鎖異性化オレフィンである請求項６１に記載のアルキル化芳香族組成物。
【請求項６９】
部分分枝鎖異性化オレフィンが炭素原子約２０個乃至約４０個を有する請求項６８に記載のアルキル化芳香族組成物。
【請求項７０】
アルキル化芳香族組成物がスルホン化してアルキル化芳香族スルホン酸を生成している請求項５８に記載のアルキル化芳香族組成物。
【請求項７１】
アルキル化芳香族スルホン酸がアルカリ土類金属および二酸化炭素と反応して炭酸塩化した過塩基性アルキル化芳香族スルホネートを生成している請求項７０に記載のアルキル化芳香族組成物。
【請求項７２】
Ｙ型ゼオライトからなり、タブレットの形状にある触媒の存在下に、少なくとも一種の芳香族炭化水素を、アルキル化条件下で少なくとも一種のオレフィンと接触させることからなる方法によって製造されたアルキル化芳香族組成物。